(57)【要約】【課題】壁面間に取り付けた際にその位置がずれにくく、かつ、確実に壁面間に取り付けることができる突っ張り棒を提供する。【解決手段】突っ張り棒１１は、長手方向に長さが可変な棒状部１２と、棒状部１２の長手方向に沿って棒状部１２の両端が離間する方向に付勢力を付与する付勢力付与部と、棒状部１２の長手方向の端部に着脱可能に設けられ、壁面１９ａ、１９ｂと当接する当接部材３１ａ、３１ｂと、当接部材３１ａ、３１ｂに設けられ、当接部材を壁面に固定させる壁面固定部と、棒状部１２と当接部材３１ａ、３１ｂとを嵌合させる嵌合構造とを備える。【選択図】図８
2018143508.tif 000002
【特許請求の範囲】
【請求項１】
二つの壁面の間に取り付けられる突っ張り棒であって、
長手方向に長さが可変な棒状部と、
前記棒状部の長手方向に沿って前記棒状部の両端が離間する方向に付勢力を付与する付勢力付与部と、
前記棒状部の長手方向の端部に着脱可能に設けられ、前記壁面と当接する当接部材と、
前記当接部材に設けられ、前記当接部材を前記壁面に固定させる壁面固定部と、
前記棒状部と前記当接部材とを嵌合させる嵌合構造とを備える、突っ張り棒。
【請求項２】
前記当接部材は、厚み方向の一方の面が前記壁面と当接する板状部を含む、請求項１に記載の突っ張り棒。
【請求項３】
前記壁面固定部は、前記板状部を厚み方向に貫通する貫通孔を含む、請求項２に記載の突っ張り棒。
【請求項４】
前記板状部は、厚み方向の他方の面側に延出する延出部を含み、
前記貫通孔は、前記延出部に設けられている、請求項３に記載の突っ張り棒。
【請求項５】
前記嵌合構造は、前記棒状部に設けられており、前記棒状部の端部から装着された前記当接部材側に延び、前記当接部材の装着時に前記貫通孔内に挿入されて嵌合する突起部を含む、請求項３または請求項４に記載の突っ張り棒。
【請求項６】
前記壁面固定部は、前記板状部の厚み方向の他方の面から前記板状部の肉厚を減ずるよう所定の領域分凹ませた凹部を含む、請求項２〜請求項５のいずれか１項に記載の突っ張り棒。
【請求項７】
前記凹部は、前記板状部の厚み方向から見た場合に長方形状であって、長辺側がステープル針で前記当接部材を固定可能な長さである、請求項６に記載の突っ張り棒。
【請求項８】
前記凹部は、短辺が延びる方向に間隔を空けて複数設けられている、請求項７に記載の突っ張り棒。
【請求項９】
前記嵌合構造は、前記棒状部に設けられており、前記棒状部の端部から装着された前記当接部材側に延びる環状の第一の鍔部と、前記当接部材に設けられており、前記板状部の厚み方向の他方の面側に延び、前記第一の鍔部と嵌合する環状の第二の鍔部とを含む、請求項１〜請求項８のいずれか１項に記載の突っ張り棒。
【請求項１０】
前記端部の外形形状は、前記棒状部の長手方向から見た場合に円形状であり、
前記棒状部および前記当接部材の少なくともいずれか一方には、前記壁面に装着された前記当接部材に対する前記棒状部の装着の角度をガイドするガイド部が設けられている、請求項１〜請求項９のいずれか１項に記載の突っ張り棒。
【請求項１１】
二つの壁面の間に取り付けられる突っ張り構造であって、
長手方向に長さが可変な長さ可変部と、
前記長さ可変部の長手方向に沿って前記長さ可変部の両端が離間する方向に付勢力を付与する付勢力付与部と、
前記長さ可変部の長手方向の端部に着脱可能に設けられ、前記壁面と当接する当接部材と、
前記当接部材に設けられ、前記当接部材を前記壁面に固定させる壁面固定部と、
前記長さ可変部と前記当接部材とを嵌合させる嵌合構造とを備える、突っ張り構造。
【発明の詳細な説明】
【技術分野】
【０００１】
この発明は、突っ張り棒、および突っ張り構造に関するものである。
【背景技術】
【０００２】
壁面間に取り付けられる突っ張り棒が従来から知られている（たとえば、特許文献１参照）。突っ張り棒は、壁面間の距離に応じて長手方向の長さを変えて、いわゆる突っ張り状態を維持するよう壁面間に取り付けられる。
【先行技術文献】
【特許文献】
【０００３】
【特許文献１】実用新案登録公報第２５１８１５６号
【発明の概要】
【発明が解決しようとする課題】
【０００４】
突っ張り棒においては、壁面間における適切な支持が求められる。すなわち、突っ張り棒が壁面間に取り付けられた際に、その位置がずれにくく、かつ、壁面間に取り付けられた取り付け状態を確実に維持することが求められる。また、壁面の種々の状態に応じた適切な支持も求められる。上記した特許文献１に開示の技術では、対応することが困難である。
【０００５】
この発明の目的は、壁面間に取り付けた際にその位置がずれにくく、かつ、確実に壁面間に取り付けることができる突っ張り棒、および突っ張り構造を提供することである。
【課題を解決するための手段】
【０００６】
この発明の一の局面においては、突っ張り棒は、二つの壁面の間に取り付けられる突っ張り棒であって、長手方向に長さが可変な棒状部と、棒状部の長手方向に沿って棒状部の両端が離間する方向に付勢力を付与する付勢力付与部と、棒状部の長手方向の端部に着脱可能に設けられ、壁面と当接する当接部材と、当接部材に設けられ、当接部材を壁面に固定させる壁面固定部と、棒状部と当接部材とを嵌合させる嵌合構造とを備える。
【０００７】
このような構成の突っ張り棒によれば、棒状部の長手方向の端部に着脱可能な当接部材を棒状部から取り外して、予め壁面固定部により当接部材を固定させることができる。そうすると、当接部材を壁面に確実に固定することができる。また、当接部材が壁面に固定されているため、その位置がずれるおそれを低減することができる。そして、壁面に固定された当接部材に棒状部を装着するに際し、嵌合構造により棒状部と当接部材とを嵌合させて装着させることができる。そうすると、付勢力付与部により棒状部の長手方向に沿って棒状部の両端が離間する方向に付勢力を付与して、より適切に当接部材を棒状部に装着させることができる。したがって、このような突っ張り棒は、壁面間に取り付けた際にその位置がずれにくく、かつ、確実に壁面間に取り付けることができる。
【０００８】
当接部材は、厚み方向の一方の面が壁面と当接する板状部を含んでもよい。こうすることにより、板状部のうちの厚み方向の一方の面を壁面に当接させて、より適切に壁面に当接部材を固定することができる。
【０００９】
壁面固定部は、板状部を厚み方向に貫通する貫通孔を含むよう構成してもよい。こうすることにより、ビス等を用いて当接部材を壁面に固定する際に、貫通孔を利用して固定することができる。したがって、壁面と当接部材を固定する際に、より効率的に固定することができる。
【００１０】
板状部は、厚み方向の他方の面から延出する延出部を含み、貫通孔は、延出部に設けられているよう構成してもよい。こうすることにより、ビス等を用いて当接部材を壁面に固定する際に、ビスによる当接部材の保持をより確実にすることができる。したがって、より確実に当接部材を壁面に固定することができる。
【００１１】
嵌合構造は、棒状部に設けられており、棒状部の端部から装着された当接部材側に延び、当接部材の装着時に貫通孔内に挿入されて嵌合する突起部を含むよう構成してもよい。こうすることにより、突起部と貫通孔とを嵌合させて、より強く嵌合状態を維持することができる。したがって、より確実に突っ張り棒を壁面間に取り付けることができる。
【００１２】
また、壁面固定部は、板状部の厚み方向の他方の面から板状部の肉厚を減ずるよう所定の領域分凹ませた凹部を含むよう構成してもよい。こうすることにより、画鋲やピン、ステープル針等を固定部材として用いた場合に、この凹部を利用して、より容易に当接部材を壁面に固定することができる。したがって、突っ張り棒の取り付け作業の効率化を図ることができる。
【００１３】
凹部は、板状部の厚み方向から見た場合に長方形状であって、長辺側がステープル針で当接部材を固定可能な長さであるよう構成してもよい。こうすることにより、ステープル針を利用して、ステープル針を確実に壁面に打ち込んで当接部材を壁面に固定することができる。この場合、ステープル針による固定の方向性を示すことができるため、当接部材をより強固に壁面に固定することができる。
【００１４】
凹部は、短辺が延びる方向に間隔を空けて複数設けられていてもよい。こうすることにより、当接部材の壁面への固定をより強固なものとして、より確実に当接部材を壁面に固定することができる。
【００１５】
また、嵌合構造は、棒状部に設けられており、棒状部の端部から装着された当接部材側に延びる環状の第一の鍔部と、当接部材に設けられており、板状部の厚み方向の他方の面側に延び、第一の鍔部と嵌合する環状の第二の鍔部とを含むよう構成してもよい。こうすることにより、それぞれ環状の第一の鍔部と第二の鍔部とを嵌合させて、より確実に嵌合させることができる。
【００１６】
端部の外形形状は、棒状部の長手方向から見た場合に円形状であり、棒状部および当接部材の少なくともいずれか一方には、壁面に装着された当接部材に対する棒状部の装着の角度をガイドするガイド部が設けられていてもよい。こうすることにより、当接部材に棒状部を装着する際に、より確実に装着することができる。
【００１７】
この発明の他の局面においては、突っ張り構造は、二つの壁面の間に取り付けられる突っ張り構造であって、長手方向に長さが可変な長さ可変部と、長さ可変部の長手方向に沿って長さ可変部の両端が離間する方向に付勢力を付与する付勢力付与部と、長さ可変部の長手方向の端部に着脱可能に設けられ、壁面と当接する当接部材と、当接部材に設けられ、当接部材を壁面に固定させる壁面固定部と、長さ可変部と当接部材とを嵌合させる嵌合構造とを備える。
【００１８】
このような構成の突っ張り構造によると、壁面間に取り付けた際にその位置がずれにくく、かつ、確実に壁面間に取り付けることができる。
【発明の効果】
【００１９】
このような構成の突っ張り棒、および突っ張り構造によると、壁面間に取り付けた際にその位置がずれにくく、かつ、確実に壁面間に取り付けることができる。
【図面の簡単な説明】
【００２０】
【図１】この発明の一実施形態に係る突っ張り棒の外観を示す概略図である。
【図２】図１に示す突っ張り棒を壁面間に取り付けた状態を示す図である。
【図３】図１に示す突っ張り棒の一部を分解して示す分解斜視図である。
【図４】受け部材の構成を示す分解斜視図であり、キャップの内部構造が見える状態の図である。
【図５】受け部材の構成を示す分解斜視図であり、パッドの内部構造が見える状態の図である。
【図６】パッドの正面図である。
【図７】固定部材としてビスを用いてパッドを壁面に取り付ける状態を示す外観斜視図である。
【図８】壁面間に突っ張り棒を取り付ける前の状態を示す外観図である。
【図９】グリップの領域を拡大して示す外観斜視図である。
【図１０】固定部材としてステープル針を用いてパッドを壁面に取り付ける状態を示す外観斜視図である。
【発明を実施するための形態】
【００２１】
次に、この発明の一実施形態に係る突っ張り棒の構成について説明する。以下の図面において同一または相当する部分には同一の参照番号を付しその説明は繰返さない。図１は、この発明の一実施形態に係る突っ張り棒の外観を示す斜視図である。図２は、図１に示す突っ張り棒を壁面間に取り付けた状態を示す図である。図３は、図１に示す突っ張り棒の一部を分解して示す分解斜視図である。
【００２２】
図１〜図３を参照して、この発明の一実施形態に係る突っ張り棒１１は、長手方向に延びる棒状部１２を備える。棒状部１２の長手方向は、図１および図２中の矢印Ｄ１で示す向きまたはその逆の向きで示される。
【００２３】
棒状部１２は、径が大きく円筒状である大径部１３ｂと、大径部１３ｂよりも径が小さく大径部１３ｂの内方側にその一部が収容可能な小径部１３ａと、グリップ１４と、キリねじ１５と、両端部に設けられる一対の受け部材１６ａ、１６ｂとを含む。棒状部１２は、大径部１３ｂの内部に収容された小径部１３ａを所定の長さ分だけ矢印Ｄ１で示す向きに引き出して、長手方向の長さが調整される。小径部１３ａのうち、大径部１３ｂに収容されない側の端部の外径側に、グリップ１４が設けられている。グリップ１４は、図１および図２中の矢印Ｒ１で示す向きまたはその逆の向きに回転させることができる。
【００２４】
大径部１３ｂの外周面の一部には、外径側に突出するようにナット１７が設けられている。このナット１７が設けられた位置にキリねじ１５が取り付けられる。すなわち、キリねじ１５は、ナット１７に螺合されて取り付けられる。キリねじ１５によるねじ留めにより、大径部１３ｂから引き出された小径部１３ａの位置を固定することができる。
【００２５】
棒状部１２の両端部には、一対の受け部材１６ａ、１６ｂが設けられている。具体的には、棒状部１２のうち、グリップ１４側が位置する端部には、一方の受け部材１６ａが設けられている。また、棒状部１２のうち、大径部１３ｂが位置する一方側の端部には、他方の受け部材１６ｂが設けられている。一対の受け部材１６ａ、１６ｂはそれぞれ、棒状部１２に着脱可能に設けられている。突っ張り棒１１をそれぞれ対向する壁１８ａの壁面１９ａ、壁１８ｂの壁面１９ｂに取り付けた際に、一対の受け部材１６ａ、１６ｂのそれぞれの一部が、それぞれの壁面１９ａ、１９ｂと当接する。
【００２６】
棒状部１２の大径部１３ｂのうちの受け部材１６ｂ側に位置する端部の内方側には、棒状部１２の長手方向に沿って棒状部１２の両端が離間する方向に付勢力を付与する付勢力付与部としてのばね２０が設けられている（図３参照）。なお、図３においては、矢印Ｄ２で示す向きに、受け部材１６ｂを取り外している。このばね２０による付勢力を利用して、突っ張り棒１１のいわゆる突っ張り状態を維持することができる。上記したグリップ１４を一方方向に所定の角度回転させて、ばね２０の弾性力を利用してばね２０は付勢力を付与する。一方、グリップ１４を逆の方向に回転させて、付与した付勢力を解除することができる。
【００２７】
次に、一方の受け部材１６ａの具体的な構成について説明する。なお、他方の受け部材１６ｂは、一方の受け部材１６ａと同様の構成であるため、その説明を省略する。
【００２８】
図４および図５は、受け部材１６ａの構成を示す分解斜視図である。図６は、パッドの正面図であり、棒状部１２の長手方向から見た図、具体的には、図４および図５中の矢印Ｄ３で示す向きから見た図である。
【００２９】
併せて図４〜図６を参照して、受け部材１６ａは、キャップ２１ａと、キャップ２１ａに着脱可能なパッド３１ａとを含む。図４は、キャップ２１ａの内部構造が見える状態の図である。図５は、パッド３１ａの内部構造が見える状態の図である。
【００３０】
ここで、まず、キャップ２１ａの構成について説明する。キャップ２１ａは、棒状部１２、具体的には、棒状部１２に含まれるグリップ１４側に連結される円柱状の連結部２２と、連結部２２のうちの一方側の端部に設けられる円板状の第一の円板部２３と、第一の円板部２３の外周縁から連結部２２と逆の向き、ここでは、矢印Ｄ３で示す向きに延びる第一の鍔部２４とを含む。第一の円板部２３のうちの連結部２２が設けられている側である一方の面２５ａは、連結部２２が設けられている領域を除き、平らである。また、第一の鍔部２４は、環状である。第一の鍔部２４は、嵌合構造の一部を構成する。また、端部としてのキャップ２１ａの外形形状は、棒状部１２の長手方向から見た場合に円形状である。
【００３１】
キャップ２１ａは、第一の円板部２３のうちの連結部２２が設けられていない他方の面２５ｂ側において、第一の鍔部２４の内方側に位置する空間を仕切る仕切り部２６を含む。仕切り部２６は、枠状の部材から構成されており、仕切り部２６により、第一の鍔部２４の内方側に位置する空間は、周方向に等間隔で離隔された八つの空間２７ａ、２７ｂ、２７ｃ、２７ｄ、２７ｅ、２７ｆ、２７ｇ、２７ｈに仕切られる。すなわち、八つの空間２７ａ〜２７ｈはそれぞれ、棒状部１２の長手方向から見た場合に、角度を４５度ずつ空けて設けられている。各空間２７ａ〜２７ｈは、矢印Ｄ３で示す向きと逆の向きから見た場合に、略半円状の枠で仕切られて形成されている構成である。略半円状の空間２７ａ〜２７ｈの開口部分はそれぞれ、外周側に向いている。第一の鍔部２４の内径面２８ａと仕切り部２６とは、径方向に間隔が空けられている。なお、第一の鍔部２４の内径面２８ａおよび外径面２８ｂは共に、棒状部１２の長手方向に真っ直ぐに延びる形状である。
【００３２】
棒状部１２、具体的には、棒状部１２に含まれ、棒状部１２の端部に位置するキャップ２１ａには、他方の面２５ｂからパッド３１ａ側に延びる円柱状の四つの突起部２９ａ、２９ｂ、２９ｃ、２９ｄが設けられている。四つの突起部２９ａ〜２９ｄはそれぞれ、棒状部１２の長手方向から見た場合に、周方向に角度を９０度ずつ空けて設けられている。四つの突起部２９ａ〜２９ｄはそれぞれ、空間２７ａ、２７ｃ、２７ｅ、２７ｇ内に位置するよう設けられている。すなわち、四つの突起部２９ａ〜２９ｄは、八つの空間２７ａ〜２７ｈのうち、周方向に一つ置きに設けられている。それぞれの突起部２９ａ〜２９ｄと仕切り部２６および第一の鍔部２４の内径面２８ａとの間には、隙間が空けられている。キャップ２１ａは、比較的硬度の高い樹脂で製造されている。
【００３３】
次に、パッド３１ａの構成について説明する。パッド３１ａの材質は、取り付け時において相手材としての壁面に傷をつけない程度の弾性力を有する樹脂製である。パッド３１ａは、第二の円板部３２と、第二の円板部３２の外周縁から第二の円板部３２の厚み方向に延びる第二の鍔部３３とを含む。第二の鍔部３３も、第一の鍔部２４と同様に環状である。第二の鍔部３３の外径と、第一の鍔部２４の内径との関係について、具体的には、第一の鍔部２４の内径は、第二の鍔部３３の外径よりもやや小さく、第二の鍔部３３の外径側に第一の鍔部２４を嵌め込むことにより、嵌合構造を採ることができる。また、第二の円板部３２の一方の面３４ｂが、突っ張り棒１１の壁面１９ａ、１９ｂ間への取り付けに際し、壁面１９ａに対向する面となる。一方の面３４ｂは、平らである。第二の鍔部３３は、嵌合構造の一部を構成する。
【００３４】
パッド３１ａは、第二の鍔部３３が延びる側である第二の円板部３２の他方の面３４ａから延び、周方向に間隔を空けて設けられる四つの延出部３５ａ、３５ｂ、３５ｃ、３５ｄを含む。四つの延出部３５ａ〜３５ｄは、等間隔で設けられている。すなわち、四つの延出部３５ａ〜３５ｄはそれぞれ、棒状部１２の長手方向から見た場合に、周方向に角度を９０度ずつ空けて設けられている。四つの延出部３５ａ〜３５ｄは、第二の鍔部３３の内径面３６ａに沿って設けられている。内径面３６ａが位置する部分を除く延出部３５ａ〜３５ｄの外形形状は、空間２７ａ〜２７ｈを取り囲む仕切り部２６の形状の一部に沿う形状である。すなわち、棒状部１２の長手方向に沿う矢印Ｄ３で示す向きから見た場合に、延出部３５ａ〜３５ｄの外形形状はそれぞれ、略半円形状である。なお、棒状部１２に含まれるキャップ２１ａに設けられる仕切り部２６およびパッド３１ａに設けられる四つの延出部３５ａ〜３５ｄは、壁面１９ａ、１９ｂに装着されたパッド３１ａに対する棒状部１２の装着の角度をガイドするガイド部として機能する。
【００３５】
四つの延出部３５ａ〜３５ｄにはそれぞれ、パッド３１ａの厚み方向、すなわち、第二の円板部３２の板厚方向に貫通する壁面固定部として利用される四つの貫通孔３７ａ、３７ｂ、３７ｃ、３７ｄが設けられている。四つの貫通孔３７ａ〜３７ｄの大きさは、上記したキャップ２１ａに設けられた突起部２９ａ〜２９ｄが嵌合できる大きさである。また、後述するビス４１の胴部４２のねじ込みが可能な大きさである。第二の鍔部３２の内径面３６ａおよび外径面３６ｂは共に、内径面３６ａのうちの延出部３５ａ〜３５ｄが設けられている部分を除いて、棒状部１２の長手方向に真っ直ぐに延びる形状である。
【００３６】
パッド３１ａに含まれる第二の円板部３２には、第二の円板部３２の厚み方向の他方の面３４ａから第二の円板部３２の肉厚を減ずるよう所定の領域分凹ませた壁面固定部としての十個の凹部３８ａ、３８ｂ、３８ｃ、３８ｄ、３８ｅ、３８ｆ、３８ｇ、３８ｈ、３８ｉ、３８ｊが設けられている（図６参照）。すなわち、凹部３８ａ〜３８ｊが設けられた領域の第二の円板部３２の肉厚は、他の領域の第二の円板部３２の肉厚よりも薄くなるよう構成されている。十個の凹部３８ａ〜３８ｊは、第二の円板部３２の中央の領域に設けられている。十個の凹部３８ａ〜３８ｊはそれぞれ、第二の円板部３２の厚み方向から見た場合に、矩形状、具体的には、長方形状である。そして、凹部３８ａ〜３８ｊの長辺側の長さが、固定部材としてのステープル針による固定が可能な長さである。五つの凹部３８ａ〜３８ｅは、短辺が延びる方向に間隔を空けて設けられている。五つの凹部３８ｆ〜３８ｊも、短辺が延びる方向に間隔を空けて設けられている。五つの凹部３８ａ〜３８ｅと五つの凹部３８ｆ〜３８ｊとは、長辺が延びる方向に間隔を空けて設けられている。五つの凹部３８ａ〜３８ｅ同士の間隔は、五つの凹部３８ｆ〜３８ｊ同士の間隔と等しく構成されている。
【００３７】
なお、第二の円板部３２には、さらに二つの凹部３８ｋ、３８ｍが設けられている。二つの凹部３８ｋ、３８ｍは、長辺が延びる方向に間隔を空けて設けられている。二つの凹部３８ｋ、３８ｍは、五つの凹部３８ａ〜３８ｅと五つの凹部３８ｆ〜３８ｊとの間の領域に設けられている。凹部３８ｋ、３８ｍの長辺が延びる方向と、十個の凹部３８ａ〜３８ｊの長辺が延びる方向とは、垂直に交わる構成である。
【００３８】
次に、上記した構成の突っ張り棒１１の壁面１９ａ、１９ｂ間への取り付けの一例の詳細について説明する。図７は、固定部材としてビスを用いてパッド３１ａを壁面１９ａに取り付ける状態を示す外観斜視図である。図８は、壁面１９ａ、１９ｂ間に突っ張り棒１１を取り付ける前の状態を示す外観図である。図９は、グリップ１４の領域を拡大して示す外観斜視図である。
【００３９】
まず、併せて図７を参照して、固定部材としてのビス４１を準備する。ビス４１は、ねじ山が設けられた胴部４２とビス４１を回転させる際に利用される頂部４３とを備える。このようなビス４１を用いて、ビス４１を回転させるドライバー４４を使い、パッド３１ａを壁面１９ａに取り付けて固定する。この場合、第二の円板部３２の一方の面３４ｂが壁面１９ａに当接することになる。具体的には、貫通孔３７ｄ内に胴部４２が位置するようにビス４１をドライバー４４により回し進め、パッド３１ａを壁面１９ａに留める。この工程を、他に三つのビス４１を用いて、それぞれの貫通孔３７ａ〜３７ｃにおいて行う。このようにしてパッド３１ａを壁面１９ａに固定する。また、壁面１９ａに固定されたパッド３１ａの位置に合わせて、パッド３１ｂを壁面１９ｂに同様に固定する。
【００４０】
次に、併せて図８を参照して、壁面１９ａ、１９ｂ間に固定されたパッド３１ａ、３１ｂの間に、パッド３１ａ、３１ｂを取り外した状態の棒状部１２を配置させる。そして、棒状部１２を長手方向に延ばして、キャップ２１ａとパッド３１ａ、キャップ２１ｂとパッド３１ｂをそれぞれ嵌合させる。具体的には、壁面１９ａに固定されたパッド３１ａの第二の鍔部３３の外径面３６ｂにキャップ２１ａの第一の鍔部２４の内径面２８ａが対向するように、キャップ２１ａをパッド３１ａに嵌め込む。キャップ２１ｂとパッド３１ｂとの嵌合も同様に行う。
【００４１】
ここで、嵌合に際し、ビス４１の頂部４３が突起部２９ａ〜２９ｄや仕切り部２６と干渉する場合には、干渉しない位置まで棒状部１２をある程度回転させて嵌合させるようにする。この場合、突起部２９ａ〜２９ｄが配置されていない空間２７ｂ、２７ｄ、２７ｆ、２７ｈにおいては、広い領域を確保できている。このため、この空間２７ｂ、２７ｄ、２７ｆ、２７ｈにビス４１の頂部４３を配置するようにして、適切に嵌合させることができる。
【００４２】
そして、パッド３１ａ、３１ｂと棒状部１２の両端部に設けられているキャップ２１ａ、２１ｂとを嵌合させた後、グリップ１４をある程度の角度回転させる。そうすると、ばね２０による付勢力により棒状部１２の両端が離間する方向に付勢させることができる。このようにして、突っ張り棒１１を壁面１９ａ、１９ｂ間に取り付ける。
【００４３】
このような構成の突っ張り棒１１によれば、棒状部１２の長手方向の端部に着脱可能なパッド３１ａ、３１ｂを棒状部１２に備えられるキャップ２１ａ、２１ｂから取り外して、予め壁面固定部としてのビス４１によりパッド３１ａ、３１ｂを固定させることができる。そうすると、パッド３１ａ、３１ｂを壁面１９ａ、１９ｂに確実に固定することができる。また、パッド３１ａ、３１ｂが壁面１９ａ、１９ｂに固定されているため、その位置がずれるおそれを低減することができる。そして、壁面１９ａ、１９ｂに固定されたパッド３１ａ、３１ｂに棒状部１２を装着するに際し、嵌合構造としての第一の鍔部２４と第二の鍔部３３により棒状部１２のキャップ２１ａ、２１ｂとパッド３１ａ、３１ｂとを嵌合させて装着させることができる。そうすると、ばね２０により棒状部１２の長手方向に沿って棒状部１２の両端が離間する方向に付勢力を付与しながら、より適切にパッド３１ａ、３１ｂを棒状部１２に装着させることができる。したがって、このような突っ張り棒１１は、壁面１９ａ、１９ｂ間に取り付けた際にその位置がずれにくく、かつ、確実に壁面１９ａ、１９ｂ間に取り付けることができる。
【００４４】
なお、このような構成によれば、突っ張り棒１１の両端部において、いわゆる滑り止め機構を設けなくともよい。
【００４５】
また、本実施形態によれば、固定部材としてビスを用いているため、壁１８ａ、１８ｂがベニヤ板製等であって、表面、すなわち、壁面１９ａ、１９ｂに多少の凹凸があったり、壁面１９ａ、１９ｂがいわゆる粗い状態であったとしても、確実に突っ張り棒１１を取り付けることができる。すなわち、壁面１９ａ、１９ｂ間に取り付けた際にその位置がずれにくく、かつ、確実に壁面１９ａ、１９ｂ間に取り付けることができる。このような構成は、突っ張り棒１１自体の耐荷重をさほど落とすことなく使用可能とするものである。
【００４６】
また、本実施形態によれば、第二の円板部３２の厚み方向の一方の面３４ｂが平らであるため、より適切に固定することができる。すなわち、壁面１９ａ、１９ｂとパッド３１ａ、３１ｂとの間の隙間をなくして固定することができる。したがって、より確実にパッド３１ａ、３１ｂを壁面１９ａ、１９ｂに固定することができる。
【００４７】
また、本実施形態によれば、壁面固定部として、第二の円板部３２を厚み方向に貫通する貫通孔３７ａ〜３７ｄを含むため、ビス４１を用いてパッド３１ａを壁面１９ａに固定する際に、貫通孔３７ａ〜３７ｄを利用して固定することができる。したがって、壁面１９ａとパッド３１ａを固定する際に、より効率的に固定することができる。
【００４８】
また、本実施形態によれば、パッド３１ａは、厚み方向の他方の面３４ａ側に延出する延出部３５ａ〜３５ｄを含み、貫通孔３７ａ〜３７ｄは、延出部３５ａ〜３５ｄに設けられているため、ビス４１を用いてパッド３１ａを壁面１９ａに固定する際に、ビス４１によるパッド３１ａの保持をより確実にすることができる。したがって、より確実にパッド３１ａを壁面１９ａに固定することができる。
【００４９】
また、本実施形態によれば、嵌合構造は、棒状部１２、具体的にはキャップ２１ａに設けられており、棒状部１２の端部に位置するキャップ２１ａから装着されたパッド３１ａ側に延びる環状の第一の鍔部２４と、パッド３１ａに設けられており、第二の円板部３２の厚み方向の他方の面３４ａ側に延び、第一の鍔部２４と嵌合する環状の第二の鍔部３３とを含むため、それぞれ環状の第一の鍔部２４と第二の鍔部３３とを嵌合させて、より確実に嵌合させることができる。
【００５０】
なお、上記の実施の形態においては、固定部材としてビス４１を用いることとしたが、これに限らず、固定部材としてステープル針を用いることとしてもよい。この場合、壁面固定部として凹部を利用する。
【００５１】
次に、上記した構成の突っ張り棒１１の壁面１９ａ、１９ｂ間への取り付けの他の例の詳細について説明する。図１０は、固定部材としてステープル針を用いてパッド３１ａを壁面１９ａに取り付ける状態を示す外観斜視図である。なお、図１０は、図７に対応する。
【００５２】
図１０を参照して、固定部材としてのステープル針が充填されたステープル４６を準備する。ステープル針は、いわゆるコの字状であって、長辺部の両端に一対の短辺部のそれぞれの端部が長辺部に対して垂直に設けられた形状である。ステープル針としては、たとえば、１０号サイズのものが採用される。
【００５３】
次に、パッド３１ａを壁面１９ａのうちのユーザーが望む位置に配置させる。ここで、長方形状の凹部３８ａ〜３８ｊにおいて、長辺側が鉛直方向、具体的には、図１０中の矢印Ｄ４で示す下向きの方向に延びるよう配置するのが耐荷重の観点から好適である。この場合、延出部３５ａ、３５ｃが上下方向に配置される。
【００５４】
その後、ステープル４６をおよそ１８０度開けた状態として、ステープル４６のうちのステープル針を打ち込む部分４７を凹部３８ａ〜３８ｊに押し当て、壁面１９ａ側にステープル４６を押し進めることにより、ステープル針を打ち込む。この場合、凹部３８ａ〜３８ｊが介在するようにして、ステープル針、具体的には、一対の短辺部の大部分が壁面１９ａ内に挿入される。このようにして各凹部３８ａ〜３８ｊにステープル針が順次打ち込まれる。なお、図１０において、凹部３８ｆ、３８ｇ、３８ｈに打ち込まれたステープル針４８ａ、４８ｂ、４８ｃを示している。図１０において直線状に表れるステープル針４８ａ〜４８ｃは、いわゆる長辺部が見えている状態である。このようにしてステープル針４８ａ〜４８ｃによりパッド３１ａを壁面１９ａに固定する。また、壁面１９ａに固定されたパッド３１ａの位置に合わせて、パッド３１ｂを壁面１９ｂに同様に固定する。
【００５５】
なお、以下の工程としては、上記と同様である。すなわち、図８、および図９に示すように棒状部１２をパッド３１ａ、３１ｂに取り付け、ばね２０により付勢させて突っ張り棒１１を壁面１９ａ、１９ｂ間に取り付ける。ここで、嵌合に際しては、第一の鍔部２４と第二の鍔部３３との嵌合に加え、貫通孔３７ａ〜３７ｄと突起部２９ａ〜２９ｄとの嵌合も加わる。すなわち、嵌合構造として、棒状部１２に設けられており、棒状部１２の端部に設けられるキャップ２１ａに含まれる第一の円板部２３から装着されたパッド３１ａ側に延び、パッド３１ａの装着時に貫通孔３７ａ〜３７ｄに挿入されて嵌合する突起部２９ａ〜２９ｄを含む構成である。したがって、より強くキャップ２１ａ、２１ｂとパッド３１ａ、３１ｂの嵌合状態を維持することができ、より確実に突っ張り棒１１を壁面１９ａ、１９ｂ間に取り付けることができる。
【００５６】
また、このような構成によれば、固定部材としてステープル針を用いているため、壁１９ａ、１９ｂが石膏ボード等であって、上記したビス４１のような部材を用いて点荷重を加えることが不向きな壁１８ａ、１８ｂであっても、安全にパッド３１ａ、３１ｂを壁面１９ａ、１９ｂに固定させることができる。この場合、突っ張り棒１１を取り除いた際に、ステープル針４８ａ〜４８ｃの小さい跡が残るのみであり、目立ちにくい。したがって、突っ張り棒１１を取り除いた後の壁面１９ａ、１９ｂの美感を高く維持することができる。
【００５７】
また、本実施形態によれば、凹部３８ａ〜３８ｍは、第二の円板部３２の厚み方向から見た場合に長方形状であって、長辺側がステープル針でパッド３１ａ、３１ｂを固定可能な長さであるため、ステープル針を利用して、ステープル針を確実に壁面１９ａ、１９ｂに打ち込んでパッド３１ａ、３１ｂを壁面１９ａ、１９ｂに固定することができる。この場合、ステープル針による固定の方向性を示すことができるため、パッド３１ａ、３１ｂをより強固に壁面１９ａ、１９ｂに固定することができる。
【００５８】
また、本実施形態によれば、凹部３８ａ〜３８ｊは、短辺が延びる方向に間隔を空けて複数、具体的には五つずつ設けられているため、パッド３１ａ、３１ｂの壁面１９ａ、１９ｂへの固定をより強固なものとして、より確実にパッド３１ａ、３１ｂを壁面１９ａ、１９ｂに固定することができる。
【００５９】
以上より、このような構成の突っ張り棒１１により、壁面１９ａ、１９ｂ間に取り付けた際にその位置がずれにくく、かつ、確実に壁面１９ａ、１９ｂ間に取り付けることができる。
【００６０】
なお、このような構成の突っ張り棒１１は、一方の壁１８ａがベニヤ板等であり、他方の壁１８ｂが石膏ボードであっても、上記したようにベニヤ板側に配置されるパッド３１ａの壁面１９ａへの固定については、固定部材としてビス４１を用い、石膏ボード側に配置されるパッド３１ｂの壁面１９ｂへの固定については、固定部材としてステープル針を用いることができる。すなわち、種々の材質や構成、表面性状の壁面に対して、耐荷重の向上を図りながら、対応することができる。
【００６１】
また、上記の実施の形態においては、当接部材としての一対のパッド３１ａ、３１ｂは、棒状部１２の両端部に設けられることとしたが、これに限らず、当接部材は、いずれか一方側の端部に設けられることとしてもよい。
【００６２】
なお、上記の実施の形態において、嵌合構造は、パッド３１ａの第二の鍔部３３の外径側にキャップ２１ａの第一の鍔部２４が位置するようにしてパッド３１ａとキャップ２１ａとを嵌合させる構成としたが、これに限らず、パッド３１ａの第二の鍔部３３の内径側にキャップ２１ａの第一の鍔部２４が位置するようにしてパッド３１ａとキャップ２１ａとを嵌合させる構成としてもよい。この場合、キャップ２１ａを嵌合させた際に、パッド３１ａに設けられる延出部３５ａ〜３５ｄがキャップ２１ａの第一の鍔部２４と干渉しない構成にするとよい。
【００６３】
なお、上記の実施の形態において、壁面１９ａ、１９ｂは、鉛直方向に延びる構成として、突っ張り棒１１を取り付けることとしたが、天井を一方の壁とし、床を他方の壁として突っ張り棒１１を取り付けることもできる。すなわち、一方の壁１８ａを天井等の天壁とし、他方の壁１８ｂを床等の底壁として突っ張り棒１１を取り付けることとしてもよい。この場合、棒状部１２の長手方向が鉛直方向となる。
【００６４】
また、上記の実施の形態においては、板状部として円板状の部材を採用することとしたが、これに限らず、板状部を矩形状としてもよいし、楕円状や多角形状としてもよい。また、外形形状が複数の直線や曲線から構成されるものであってもよい。また、当接部材は、一方の面が平らな板状部を含むこととしたが、これに限らず、板状の部材を含まない構成としてもよく、平らな面で当接しなくともよい。
【００６５】
なお、上記の実施の形態においては、一対の受け部材１６ａ、１６ｂは、棒状部１２に着脱可能に設けることとしたが、これに限らず、一対の受け部材１６ａ、１６ｂは、棒状部１２に固定されており、棒状部１２からの取り外しができない構成であってもよい。すなわち、本願発明に係る突っ張り棒１１は、パッド３１ａ、３１ｂに相当する当接部材と、一体物の棒状部１２とを含む構成としてもよい。また、棒状部１２として特に材質が限定されるものではなく、たとえば、樹脂製であってもよいし、金属製であってもよい。
【００６６】
また、上記の実施の形態においては、壁面固定部として貫通孔および凹部の双方を当接部材としてのパッドに設けることとしたが、これに限らず、いずれか一方のみ設けるようにしてもよい。また、貫通孔や凹部については、複数設けなくともよい。すなわち、一つの貫通孔や一つの凹部を設ける構成としてもよい。凹部については、想定される固定部材に応じて、ある程度広い面積で設けることにしてもよい。凹部については、長方形状に限られず、丸状や楕円形状等、板状部の厚み方向から見た場合に、種々の形状のものが採用される。複数のピンや画鋲等を固定部材として用いてもよい。
【００６７】
なお、上記の実施の形態においては、仕切り部２６四つの延出部３５ａ〜３５ｄは、壁面１９ａに装着されたパッド３１ａに対する棒状部１２の装着の角度をガイドするガイド部として機能することとしたが、これに限らず、棒状部１２およびパッド３１ａのうちのいずれか一方に、壁面１９ａに装着されたパッド３１ａに対する棒状部１２の装着の角度をガイドするガイド部を設けることとしてもよい。
【００６８】
また、上記の実施の形態においては、付勢力付与部としてばね２０を用いることとしたが、これに限らず、他の部材、たとえば、弾性力を有するゴム状の部材を付勢力付与部として用いることとしてもよいし、他の手段で付勢力を付与することとしてもよい。
【００６９】
なお、本願発明に係る突っ張り構造としては、以下の構成を備える。すなわち、突っ張り構造は、二つの壁面の間に取り付けられる突っ張り構造である。突っ張り構造は、長手方向に長さが可変な長さ可変部と、長さ可変部の長手方向に沿って長さ可変部の両端が離間する方向に付勢力を付与する付勢力付与部と、長さ可変部の長手方向の端部に着脱可能に設けられ、壁面と当接する当接部材と、当接部材に設けられ、当接部材を壁面に固定させる壁面固定部と、長さ可変部と当接部材とを嵌合させる嵌合構造とを備える。長さ可変部としては、たとえば、長手方向に長さを変えることができる棚状の部材等が挙げられる。すなわち、本願発明に係る突っ張り構造は、突っ張り棚を一例として適用される。
【００７０】
このような構成の突っ張り構造によれば、長さ可変部の長手方向の端部に着脱可能な当接部材を長さ可変部から取り外して、予め壁面固定部により当接部材を固定させることができる。そうすると、当接部材を壁面に確実に固定することができる。また、当接部材が壁面に固定されているため、その位置がずれるおそれを低減することができる。そして、壁面に固定された当接部材に長さ可変部を装着するに際し、嵌合構造により長さ可変部と当接部材とを嵌合させて装着させることができる。そうすると、付勢力付与部により長さ可変部の長手方向に沿って長さ可変部の両端が離間する方向に付勢力を付与して、より適切に当接部材を長さ可変部に装着させることができる。したがって、このような突っ張り構造は、壁面間に取り付けた際にその位置がずれにくく、かつ、確実に壁面間に取り付けることができる。
【００７１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００７２】
本願の突っ張り棒、および突っ張り構造は、取り付けられた際の位置ずれが生じにくく、確実な取り付けが求められる場合に、特に有利に適用され得る。
【符号の説明】
【００７３】
１１  突っ張り棒、１２  棒状部、１３ａ  小径部、１３ｂ  大径部、１４  グリップ、１５  キリねじ、１６ａ，１６ｂ  受け部材、１７  ナット、１８ａ，１８ｂ  壁、１９ａ，１９ｂ  壁面、２０  ばね、２１ａ，２１ｂ  キャップ、２２  連結部、２３  第一の円板部、２４  第一の鍔部、２５ａ，２５ｂ，３４ａ，３４ｂ  面、２６  仕切り部、２７ａ，２７ｂ，２７ｃ，２７ｄ，２７ｅ，２７ｆ，２７ｇ，２７ｈ  空間、２８ａ，３６ａ  内径面、２８ｂ，３６ｂ  外径面、２９ａ，２９ｂ，２９ｃ，２９ｄ  突起部、３１ａ，３１ｂ  パッド、３２  第二の円板部、３３  第二の鍔部、３５ａ，３５ｂ，３５ｃ，３５ｄ  延出部、３７ａ，３７ｂ，３７ｃ，３７ｄ  貫通孔、３８ａ，３８ｂ，３８ｃ，３８ｄ，３８ｅ，３８ｆ，３８ｇ，３８ｈ，３８ｉ，３８ｊ，３８ｋ，３８ｍ  凹部、４１  ビス、４２  胴部、４３  頂部、４４  ドライバー、４６  ステープル、４７  部分、４８ａ，４８ｂ，４８ｃ  ステープル針。
【図１】
2018143508.tif 000003
【図２】
2018143508.tif 000004
【図３】
2018143508.tif 000005
【図４】
2018143508.tif 000006
【図５】
2018143508.tif 000007
【図６】
2018143508.tif 000008
【図７】
2018143508.tif 000009
【図８】
2018143508.tif 000010
【図９】
2018143508.tif 000011
【図１０】
2018143508.tif 000012